【手続補正書】
【提出日】平成28年1月8日(2016.1.8)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、前記方法は、
第１のサウンディング基準信号（ＳＲＳ）のための第１の構成を受信することと、
第２のＳＲＳのための第２の構成を受信することと、
を備え、
前記第２のＳＲＳが前記第１のＳＲＳと同じタイプであることと、
前記第１のＳＲＳと前記第２のＳＲＳとの間の衝突の回避を実行することと、
同じセル中で前記第１のＳＲＳと前記第２のＳＲＳを送信することと、
によって特徴付けられる、方法。
【請求項２】
前記第１のＳＲＳおよび前記第２のＳＲＳが周期的なＳＲＳ送信である、請求項１に記載の方法。
【請求項３】
前記第１のＳＲＳおよび前記第２のＳＲＳが非周期的なＳＲＳ送信である、請求項１に記載の方法。
【請求項４】
前記第１のＳＲＳがアップリンク送信を管理するためのものであり、前記第２のＳＲＳがダウンリンク送信を管理するためのものである、請求項１に記載の方法。
【請求項５】
前記第１の構成がアンテナポートの第１の数を備え、前記第２の構成がアンテナポートの第２の数を備える、請求項１に記載の方法。
【請求項６】
前記第１の構成がアンテナポートの第１の定義を備え、前記第２の構成がアンテナポートの第２の定義を備える、請求項１に記載の方法。
【請求項７】
アンテナポートの前記第１の定義およびアンテナポートの前記第２の定義が少なくとも１つの共有されたアンテナポートを含む、請求項６に記載の方法。
【請求項８】
前記衝突の回避を実行することが、前記第１のまたは第２の構成のスケジュールされた送信を修正することを備える、請求項１に記載の方法。
【請求項９】
前記判断することが、前記第１のＳＲＳおよび前記第２のＳＲＳの目的、前記第１のＳＲＳおよび前記第２のＳＲＳのプロパティ、ユーザ機器（ＵＥ）の能力、またはそれらの組合せのうちの１つまたは複数に基づいて、前記第１の構成または前記第２の構成を優先順位付けすることを備える、請求項１に記載の方法。
【請求項１０】
前記判断することが各ＳＲＳ送信について行われる、請求項１に記載の方法。
【請求項１１】
前記判断することが各アンテナポートについて行われる、請求項１に記載の方法。
【請求項１２】
ワイヤレス通信のための装置であって、前記装置は、
第１のサウンディング基準信号（ＳＲＳ）のための第１の構成を受信するための手段と、
第２のＳＲＳのための第２の構成を受信するための手段と、
を備え、
前記第２のＳＲＳが前記第１のＳＲＳと同じタイプであることと、
前記第１のＳＲＳと前記第２のＳＲＳとの間の衝突の回避を実行するための手段と、
同じセル中で前記第１のＳＲＳと前記第２のＳＲＳを送信するための手段と、
によって特徴付けられる、装置。
【請求項１３】
前記第１のＳＲＳと前記第２のＳＲＳが周期的なＳＲＳ送信であるか、または前記第１のＳＲＳと前記第２のＳＲＳが非周期的なＳＲＳ送信である、請求項１２に記載の装置。
【請求項１４】
前記第１のＳＲＳがアップリンク送信を管理するためのものであり、前記第２のＳＲＳがダウンリンク送信を管理するためのものである、請求項１２に記載の装置。
【請求項１５】
ワイヤレス通信のためのコンピュータプログラム製品であって、前記コンピュータプログラム製品が、
請求項１乃至１１のいずれかの方法を実行するためのプログラムコードを記録した非一時的コンピュータ可読媒体を備える。
【手続補正２】
【補正対象書類名】明細書
【補正対象項目名】００８５
【補正方法】変更
【補正の内容】
【００８５】
［0094]ＳＲＳ動作の拡張のための特定の実装形態は、添付の付録Ａに記載されている。付録Ａは、本明細書の一部を形成し、その全体が参照により本明細書に明確に組み込まれる。
以下に、本願出願の当初の特許請求の範囲に記載された発明を付記する。
［Ｃ１］ワイヤレス通信の方法であって、前記方法は、
第１のサウンディング基準信号（ＳＲＳ）のための第１の構成を受信することと、
第２のＳＲＳのための第２の構成を受信することと、前記第２のＳＲＳが、前記第１のＳＲＳと同じタイプであり、同じセル中で送信される、
前記第１のＳＲＳと前記第２のＳＲＳとの間の衝突をどのように処理するかを判断することと
を備える。
［Ｃ２］前記第１のＳＲＳおよび前記第２のＳＲＳが周期的なＳＲＳ送信である、Ｃ１に記載の方法。
［Ｃ３］前記第１のＳＲＳおよび前記第２のＳＲＳが非周期的なＳＲＳ送信である、Ｃ１に記載の方法。
［Ｃ４］前記第１のＳＲＳがアップリンク送信を管理するためのものであり、前記第２のＳＲＳがダウンリンク送信を管理するためのものである、Ｃ１に記載の方法。
［Ｃ５］前記第１の構成がアンテナポートの第１の数を備え、前記第２の構成がアンテナポートの第２の数を備える、Ｃ１に記載の方法。
［Ｃ６］前記第１の構成がアンテナポートの第１の定義を備え、前記第２の構成がアンテナポートの第２の定義を備える、Ｃ１に記載の方法。
［Ｃ７］アンテナポートの前記第１の定義およびアンテナポートの前記第２の定義が少なくとも１つの共有されたアンテナポートを含む、Ｃ６に記載の方法。
［Ｃ８］前記判断することが、前記衝突を誤構成として扱うことを備える、Ｃ１に記載の方法。
［Ｃ９］前記判断することが、前記第１のＳＲＳおよび前記第２のＳＲＳの目的、前記第１のＳＲＳおよび前記第２のＳＲＳのプロパティ、ユーザ機器（ＵＥ）の能力、またはそれらの組合せのうちの１つまたは複数に基づいて、前記第１の構成または前記第２の構成を優先順位付けすることを備える、Ｃ１に記載の方法。
［Ｃ１０］サブフレーム中で前記第１の構成を用いて前記第１のＳＲＳを送信することと、
前記第１の構成が前記第２の構成と直交するとき、前記サブフレーム中で前記第２の構成を用いて前記第２のＳＲＳを送信することと
をさらに備える、Ｃ１に記載の方法。
［Ｃ１１］前記第１の構成を用いて前記第１のＳＲＳを送信することと、
前記第１のＳＲＳと前記第２のＳＲＳがサイクリックシフトによって区別されるとき、前記第２の構成を用いて前記第２のＳＲＳを送信することと
をさらに備える、Ｃ１に記載の方法。
［Ｃ１２］前記判断することが各ＳＲＳ送信について行われる、Ｃ１に記載の方法。
［Ｃ１３］前記判断することが各アンテナポートについて行われる、Ｃ１に記載の方法。
［Ｃ１４］ワイヤレス通信の方法であって、前記方法は、
第１のサウンディング基準信号（ＳＲＳ）のための第１の構成を受信することと、
第２のＳＲＳのための第２の構成を受信することと、前記第１の構成が、前記第２の構成の第２のＵＥ固有セル識別情報とは異なる第１のＵＥ固有セル識別情報、前記第２の構成の第２の電力オフセットとは異なる第１の電力オフセット、またはそれらの組合せのうちの１つまたは複数を備える、
前記第１のＳＲＳ、前記第２のＳＲＳ、またはそれらの組合せを送信することと
を備える。
［Ｃ１５］各ＵＥセル固有識別情報が、構成されたアンテナポートに依存する、Ｃ１４に記載の方法。
［Ｃ１６］前記第１の構成が周期的なＳＲＳ送信に対応し、前記第２の構成が非周期的なＳＲＳ送信に対応する、Ｃ１４に記載の方法。
［Ｃ１７］前記第１の構成が、ダウンリンク制御情報（ＤＣＩ）フォーマット、ＤＣＩフォーマット中の非周期的なＳＲＳパラメータ、制御チャネルのタイプ、またはそれらの組合せのうちの１つまたは複数に基づく非周期的なＳＲＳ構成を備える、Ｃ１４に記載の方法。
［Ｃ１８］制御チャネルの前記タイプが、レガシー制御チャネル、異なるリソース領域を利用する新しい制御チャネル、またはそれらの組合せのうちの１つまたは複数をさらに備える、Ｃ１７に記載の方法。
［Ｃ１９］前記第２の構成が、ダウンリンク制御情報（ＤＣＩ）フォーマットに基づく非周期的なＳＲＳ構成、非周期的なＳＲＳパラメータ、制御チャネルのタイプ、またはそれらの組合せのうちの１つまたは複数を備える、Ｃ１４に記載の方法。
［Ｃ２０］ワイヤレス通信のための装置であって、前記装置は、
第１のサウンディング基準信号（ＳＲＳ）のための第１の構成を受信するための手段と、
第２のＳＲＳのための第２の構成を受信するための手段と、前記第２のＳＲＳが、前記第１のＳＲＳと同じタイプであり、同じセル中で送信される、
前記第１のＳＲＳと前記第２のＳＲＳとの間の衝突をどのように処理するかを判断するための手段と
を備える。
［Ｃ２１］ワイヤレス通信のための装置であって、前記装置は、
第１のサウンディング基準信号（ＳＲＳ）のための第１の構成を受信するための手段と、
第２のＳＲＳのための第２の構成を受信するための手段と、前記第１の構成が、前記第２の構成の第２のＵＥ固有セル識別情報とは異なる第１のＵＥ固有セル識別情報、前記第２の構成の第２の電力オフセットとは異なる第１の電力オフセット、またはそれらの組合せのうちの１つまたは複数を備える、
前記第１のＳＲＳ、前記第２のＳＲＳ、またはそれらの組合せを送信するための手段と
を備える。
［Ｃ２２］ワイヤレス通信のためのコンピュータプログラム製品であって、前記コンピュータプログラム製品が、
プログラムコードを記録した非一時的コンピュータ可読媒体を備え、前記プログラムコードが、
第１のサウンディング基準信号（ＳＲＳ）のための第１の構成を受信するためのプログラムコードと、
第２のＳＲＳのための第２の構成を受信するためのプログラムコードと、前記第２のＳＲＳが、前記第１のＳＲＳと同じタイプであり、同じセル中で送信される、
前記第１のＳＲＳと前記第２のＳＲＳとの間の衝突をどのように処理するかを判断するためのプログラムコードと
を備える。
［Ｃ２３］ワイヤレス通信のためのコンピュータプログラム製品であって、前記コンピュータプログラム製品が、
プログラムコードを記録した非一時的コンピュータ可読媒体を備え、前記プログラムコードが、
第１のサウンディング基準信号（ＳＲＳ）のための第１の構成を受信するためのプログラムコードと、
第２のＳＲＳのための第２の構成を受信するためのプログラムコードと、前記第１の構成が、前記第２の構成の第２のＵＥ固有セル識別情報とは異なる第１のＵＥ固有セル識別情報、前記第２の構成の第２の電力オフセットとは異なる第１の電力オフセット、またはそれらの組合せのうちの１つまたは複数を備える、
前記第１のＳＲＳ、前記第２のＳＲＳ、またはそれらの組合せを送信するためのプログラムコードと
を備える。
［Ｃ２４］メモリと、
前記メモリに結合された少なくとも１つのプロセッサと、前記少なくとも１つのプロセッサは、
第１のサウンディング基準信号（ＳＲＳ）のための第１の構成を受信することと、
第２のＳＲＳのための第２の構成を受信することと、前記第２のＳＲＳが、前記第１のＳＲＳと同じタイプであり、同じセル中で送信される、
前記第１のＳＲＳと前記第２のＳＲＳとの間の衝突をどのように処理するかを判断することと
を行うように構成される、
を備える、ワイヤレス通信のための装置。
［Ｃ２５］前記第１のＳＲＳおよび前記第２のＳＲＳが周期的なＳＲＳ送信である、Ｃ２４に記載の装置。
［Ｃ２６］前記第１のＳＲＳおよび前記第２のＳＲＳが非周期的なＳＲＳ送信である、Ｃ２４に記載の装置。
［Ｃ２７］前記第１のＳＲＳがアップリンク送信を管理するためのものであり、前記第２のＳＲＳがダウンリンク送信を管理するためのものである、Ｃ２４に記載の装置。
［Ｃ２８］前記第１の構成がアンテナポートの第１の数を備え、前記第２の構成がアンテナポートの第２の数を備える、Ｃ２４に記載の装置。
［Ｃ２９］前記第１の構成がアンテナポートの第１の定義を備え、前記第２の構成がアンテナポートの第２の定義を備える、Ｃ２４に記載の装置。
［Ｃ３０］アンテナポートの前記第１の定義およびアンテナポートの前記第２の定義が少なくとも１つの共有されたアンテナポートを含む、Ｃ２９に記載の装置。
［Ｃ３１］前記少なくとも１つのプロセッサが、前記衝突を誤構成として扱うようにさらに構成される、Ｃ２４に記載の装置。
［Ｃ３２］前記少なくとも１つのプロセッサが、前記第１のＳＲＳおよび前記第２のＳＲＳの目的、前記第１のＳＲＳおよび前記第２のＳＲＳのプロパティ、ユーザ機器（ＵＥ）の能力、またはそれらの組合せのうちの１つまたは複数に基づいて、前記第１の構成または前記第２の構成を優先順位付けするようにさらに構成される、Ｃ２４に記載の装置。
［Ｃ３３］前記少なくとも１つのプロセッサが、
サブフレーム中で前記第１の構成を用いて前記第１のＳＲＳを送信することと、
前記第１の構成が前記第２の構成と直交するとき、前記サブフレーム中で前記第２の構成を用いて前記第２のＳＲＳを送信することと
を行うようにさらに構成される、Ｃ２４に記載の装置。
［Ｃ３４］前記少なくとも１つのプロセッサが、
前記第１の構成を用いて前記第１のＳＲＳを送信することと、
前記第１のＳＲＳと前記第２のＳＲＳがサイクリックシフトによって区別されるとき、前記第２の構成を用いて前記第２のＳＲＳを送信することと
を行うようにさらに構成される、Ｃ２４に記載の装置。
［Ｃ３５］前記少なくとも１つのプロセッサが、各ＳＲＳ送信について前記衝突をどのように処理するかを判断するようにさらに構成される、Ｃ２４に記載の装置。
［Ｃ３６］前記少なくとも１つのプロセッサが、各アンテナポートについて前記衝突をどのように処理するかを判断するようにさらに構成される、Ｃ２４に記載の装置。
［Ｃ３７］メモリと、
前記メモリに結合された少なくとも１つのプロセッサと、前記少なくとも１つのプロセッサは、
第１のサウンディング基準信号（ＳＲＳ）のための第１の構成を受信することと、
第２のＳＲＳのための第２の構成を受信することと、前記第１の構成が、前記第２の構成の第２のＵＥ固有セル識別情報とは異なる第１のＵＥ固有セル識別情報、前記第２の構成の第２の電力オフセットとは異なる第１の電力オフセット、またはそれらの組合せのうちの１つまたは複数を備える、
前記第１のＳＲＳ、前記第２のＳＲＳ、またはそれらの組合せを送信することと
を行うように構成される、
を備える、ワイヤレス通信のための装置。
［Ｃ３８］各ＵＥセル固有識別情報が、構成されたアンテナポートに依存する、Ｃ３７に記載の装置。
［Ｃ３９］前記第１の構成が周期的なＳＲＳ送信に対応し、前記第２の構成が非周期的なＳＲＳ送信に対応する、Ｃ３７に記載の装置。
［Ｃ４０］前記第１の構成が、ダウンリンク制御情報（ＤＣＩ）フォーマット、ＤＣＩフォーマット中の非周期的なＳＲＳパラメータ、制御チャネルのタイプ、またはそれらの組合せのうちの１つまたは複数に基づく非周期的なＳＲＳ構成を備える、Ｃ３７に記載の装置。
［Ｃ４１］制御チャネルの前記タイプが、レガシー制御チャネル、異なるリソース領域を利用する新しい制御チャネル、またはそれらの組合せのうちの１つまたは複数をさらに備える、Ｃ４０に記載の装置。
［Ｃ４２］前記第２の構成が、ダウンリンク制御情報（ＤＣＩ）フォーマットに基づく非周期的なＳＲＳ構成、非周期ＳＲＳパラメータ、制御チャネルのタイプ、またはそれらの組合せのうちの１つまたは複数を備える、Ｃ３７に記載の装置。